(57)【要約】      （修正有）【課題】ワインを適切な温度で保管するためのワインセラーを提供する。【解決手段】ワインセラー１００の本体１内の底面３の奥側に段部４を設け、当該段部４の角部４ａにワインボトルＷのネックＮを保持する上凹部１０を設けると共に、底面３にワインボトルＷの下部の角を保持する下凹部２０が設けられ、上凹部１０と下凹部２０とは奥行き方向で略同一方向に設けられている。本体１の下側にワインボトルＷを斜めに置く場合、ワインボトルＷの底の角を下凹部２０に落とし込み、続いてワインボトルＷのネックＮを上凹部１０において保持する。ワインボトルＷの周囲に十分なる空間が形成されるので冷気の流れを阻害する構造物が殆どなく、冷気がワインボトルＷの周りに万遍なく且つ淀みなく循環される。また、斜め置きの際にラックを使用する必要がないので、立て置きする際の障害物がなく、ワインボトルＷを最小限の移動と動きをもって立て置きできる。【選択図】図５
0003196994.tif 000002
【実用新案登録請求の範囲】
【請求項１】
ワインセラー本体内の底面の奥側に段部を設け、当該段部の角部にワインボトルのネックを保持する上凹部を設けると共に、前記底面にワインボトルの下部の角を保持する下凹部が設けられ、前記上凹部と下凹部とは奥行き方向で略同一方向に設けられていることを特徴とするワインセラー。
【請求項２】
更に、前記下凹部は、ワインボトルの底より平面上で小さいことを特徴とする請求項１に記載のワインセラー。
【請求項３】
前記段部の上面は、水平面であり且つその奥行はワインボトルの径より大きいものとするのが好ましい。更に、前記本体内の奥壁のうち前記段部の上側近傍に、冷気を出すダクトを設けたことを特徴とする請求項１又は２に記載のワインセラー。
【考案の詳細な説明】
【技術分野】
【０００１】
本考案は、ワインを適切な温度で保管するためのワインセラーに関するものである。
【背景技術】
【０００２】
従来から非特許文献１に記載されているようなワインセラーが知られている。このワインセラーは、庫内の底部にワインボトルを斜めに配置できるような構造であり、ワインボトルは所定のラックに載せられた状態で配置される。
【先行技術文献】
【特許文献】
【０００３】
【非特許文献１】東芝ホームページ、東芝トップページ > 家電製品 Toshiba Living Doors > 冷蔵庫 > ワインセラー > 詳細情報、平成26年11月28日、インターネット〈http://www.toshiba.co.jp/living/webcata/refrige/gr_w80g.htm〉
【考案の概要】
【考案が解決しようとする課題】
【０００４】
しかしながら、従来のワインセラーは、斜めに置く際にラックを用いていることから、当該ラックが冷気循環の邪魔になるという問題点があった。また、斜め置きから立て置きにする際にラックが邪魔になるという問題点があった。この考案はこれらの問題点を解決するためになされたものである。
【課題を解決するための手段】
【０００５】
本考案は、ワインセラー本体内の底面の奥側に段部を設け、当該段部の角部にワインボトルのネックを保持する上凹部を設けると共に、前記底面にワインボトルの下部の角を保持する下凹部が設けられ、前記上凹部と下凹部とは奥行き方向で略同一方向に設けられていることを特徴とする。
【０００６】
更に、前記下凹部は、ワインボトルの底より平面上で小さいものとするのが好ましい。また、前記段部の上面は、水平面であり且つその奥行はワインボトルの径より大きいものとするのが好ましい。更に、前記本体内の奥壁のうち前記段部の上側近傍に、冷気を出すダクトを設けるようにするのが好ましい。
【図面の簡単な説明】
【０００７】
【図１】この考案に係るワインセラーを示す断面図である。
【図２】図１に示したワインセラーの内部状態を示す斜視図である。
【図３】上凹部を示す説明図である。
【図４】下凹部を示す説明図である。
【図５】ワインボトルを置いた状態を示す説明図である。
【図６】ワインボトルを置いた状態を示す説明図である。
【図７】ワインボトルを置いた状態を示す説明図である。
【考案を実施するための形態】
【０００８】
このワインセラー１００は、ワインを貯蔵する本体１と、本体１前面に設けた扉２とを備える。本体１は、壁面がそれぞれ断熱材を備えた内壁１ａで外部から断熱されており、冷却に用いるコンプレッサー５０は、背面側の下部に配置されている。このコンプレッサー５０を避けるようにして内部空間１０１が形成されており、当該本体１内の底面３の奥壁側には段部４が設けられている。段部４の裏側に形成する空間１０２に、前記コンプレッサー５０が配置されている。
【０００９】
前記段部４は、扉２側の前方角部にワインボトルＷのネックＮを保持する上凹部１０が設けられる。当該上凹部１０は、図３（ａ）に示すように、前記ネックＮの径に相当する筒面１０ａで構成され、図３（ｂ）の断面図に示すように、ワインボトルＷを斜めに置いたときに当該ネックＮを保持しやすいように斜めの角度を持って形成される。ネックＮの径は一般的なワインボトルＷの径を基準として決定される。具体的には、２５ｍｍ以上５０ｍｍ以下が好ましい。
【００１０】
また、上凹部１０は、段部４の角部４ａに必要数形成される。例えば小型のワインセラー１００であれば２個形成する。また、上凹部１０は、段部４の上面４ｂに突起物が形成されないように形成する。即ち、段部４の上面４ｂに突起を形成しないように窪み状または切欠き状に上凹部１０を形成する。また、上面４ｂの奥行は一般的なワインボトルＷの径より大きく、水平になるようにする。これにより、当該段部４の上面４ｂが平らになるので、ワインボトルＷを立て置きできるようになる。
【００１１】
また、底面３には、ワインボトルＷの下部の角が落とし込まれて保持されるような下凹部２０が形成される。この下凹部２０は、図４（ａ）に示すように、底面３に対して円弧部２１と直線部２２とを備えた形状となり、図４（ｂ）に示すように、円弧部２１の奥側から次第に直線部２２の側に向けて深くなる。
【００１２】
また、下凹部２０の全体は、一般的なワインボトルＷの底の径より平面的に小さいものとする。また、下凹部２０は、底面３から突起物が形成されないように設ける。また、底面３に突起物を形成しないように窪み状の下凹部２０を形成する。更に、底面３は水平とする。これにより、ワインボトルＷを立て置きできるようになる。
【００１３】
前記上凹部１０と下凹部２０とはワインボトルＷを保持する形状の一つの組であり、ワインボトルＷを斜めに置く際に正面からみてまっすぐに見えるよう、奥行き方向で略同一方向に設けるものとする。
【００１４】
また、段部４の上側近傍には、冷気を排出するダクト３０が設けられる。前記上側近傍は、ワインボトルＷのネックＮ付近の高さであり、例えば上面４ｂから５ｃｍ以上１５ｃｍ以下である。ダクト３０からの冷気は、本体１内部で下方に移動して内部を対流する。ダクト３０の形状や大きさは適宜決定するものとする。なお、ダクト３０に冷気を供給する経路等は公知の構造であるため説明を省略する。
【００１５】
なお、本体１内部の上側には、ワインボトルＷを寝かせた状態で保持するラック４０が設けられる。ラック４０の段数は、本体１の容積によるものとする。なお、ラック４０は、冷気の対流を阻害し難い格子状のものとするのが好ましい（図示省略）。
【００１６】
図５〜図７は、このワインセラー１００の使用状態を示す説明図である。まず、本体１の下側にワインボトルＷを斜めに置く場合、ワインボトルＷの底の角を下凹部２０に落とし込み、続いてワインボトルＷのネックＮを上凹部１０において保持する。ワインボトルＷは、底の角部４ａが下凹部２０に落ち込んで転がらないように保持されると共に上凹部１０にネックＮが落とし込まれて保持される。この結果、ワインボトルＷがワインセラー１００の下側で斜め置きできるようになる。
【００１７】
この状態は、ワインボトルＷと段部４との間および底面３との間は、上記下凹部２０及び上凹部１０で接触しているのみであるから、ワインボトルＷの周囲に十分なる空間が形成される。斜めに配置する際にラック４０を用いると、当該ラック４０によりワインボトルＷの周囲の空間が閉鎖されたり埋められたりするため、十分な空間が形成されなくなるが、本考案の構成であれば、冷気の流れを阻害する構造物が殆どないことになる。冷気の流れＦの例を図中に矢印で示す。このため、ダクト３０から排出される冷気がワインボトルＷの周りに万遍なく且つ淀みなく循環されるようになり、ワインの温度に不均一を発生させることがない。
【００１８】
更に、本体１との接触部分が、上記下凹部２０および上凹部１０の付近のみであるから、外部からの熱伝導によりワインボトルＷの内部に影響を及ぼすことがない。
【００１９】
ワインボトルＷを立て置きする場合は、底面３にそのまま置けばよい。斜め置きの際にラックを使用する必要がないので、立て置きする際の障害物がなく、ワインボトルＷを最小限の移動と動きをもって立て置きできる。このため、ワインボトルＷ内の沈殿物が舞ったりしない。
【００２０】
また、ワインボトルＷの底が下凹部２０にかかるようにすると倒れる恐れがある。しかしながら、下凹部２０は全体的にワインボトルＷの底より小さく形成されているので、下凹部２０をワインボトルＷの底で覆うように置けば倒れる恐れがない。また、段部４の上面４ｂも水平かつ平に形成されているので、ワインボトルＷを立て置きできる。当該上面４ｂの奥行はワインボトルＷの径より大きく設定されているので、倒れることはない。
【００２１】
ワインボトルＷを立て置きした場合も、ワインボトルＷの周囲にラック４０等の構造物がないため、ダクト３０からの冷気が周囲をまんべんなく且つ淀みなく循環するので、ワインボトルＷの温度管理を均一にできる。
【符号の説明】
【００２２】
１００  ワインセラー
１  本体
２  扉
３  底面
４  段部
１０  上凹部
２０  下凹部
３０  ダクト
Ｗ  ワインボトル
【図１】
0003196994.tif 000003
【図２】
0003196994.tif 000004
【図３】
0003196994.tif 000005
【図４】
0003196994.tif 000006
【図５】
0003196994.tif 000007
【図６】
0003196994.tif 000008
【図７】
0003196994.tif 000009
【手続補正書】
【提出日】平成27年2月13日(2015.2.13)
【手続補正１】
【補正対象書類名】実用新案登録請求の範囲
【補正対象項目名】全文
【補正方法】変更
【補正の内容】
【実用新案登録請求の範囲】
【請求項１】
ワインセラー本体内の底面の奥側に段部を設け、当該段部の角部にワインボトルのネックを保持する上凹部を設けると共に、前記底面にワインボトルの下部の角を保持する下凹部が設けられ、前記上凹部と下凹部とは奥行き方向で略同一方向に設けられていることを特徴とするワインセラー。
【請求項２】
更に、前記下凹部は、ワインボトルの底より平面上で小さいことを特徴とする請求項１に記載のワインセラー。
【請求項３】
前記段部の上面は、水平面であり且つその奥行はワインボトルの径より大きいものとすると共に、前記本体内の奥壁のうち前記段部の上側近傍に、冷気を出すダクトを設けたことを特徴とする請求項１又は２に記載のワインセラー。